(57)【要約】【課題】前記の如きモーアデッキの刈取草を排出する排出口を左・右に切替える形態では、排出口ではシャッターを開くと共に、反対側の非排出口ではシャッターを閉鎖するように切替えるため、構成、及び操作が煩雑である。特に、モーアデッキのブレードは回転方向が一定の方向であり、後輪との構成制限も受け易く、左・右の排出口、及びシャッター等全てを左右対称の構成とすることが困難なことが多い。【解決手段】上下方向のブレード軸１の周りに回転するブレード２を有したモーアデッキ３の左右両側部に、このブレード２で刈取られた草を排出する左・右排出口４，５を配置し、この一側の右排出口５に開閉するシャッター６を設けて、このシャッター６を閉鎖することによってリヤカバー７を介して刈草を左排出口４へ案内して左側排出させることを特徴とする草刈機の構成とする。【選択図】図１
2007129906.tif 000002
【特許請求の範囲】
【請求項１】
上下方向のブレード軸（１）の周りに回転するブレード（２）を有したモーアデッキ（３）の左右両側部に、このブレード（２）で刈取られた草を排出する左・右排出口（４），（５）を配置し、この一側の右排出口（５）に開閉するシャッター（６）を設けて、このシャッター（６）を閉鎖することによってリヤカバー（７）を介して刈草を左排出口（４）へ案内して左側排出させることを特徴とする草刈機。
【請求項２】
前記モーアデッキ（３）の左・右排出口（４），（５）間の後側を覆うリヤカバー（７）の下端縁に沿って、前側のブレード（２）側へ向けて突出の折返し縁（８）を形成したことを特徴とする請求項１に記載の刈取機。
【発明の詳細な説明】
【技術分野】
【０００１】
この発明は、モーアデッキの左右両側部に刈取った草を排出可能の草刈機に関する。左右いずれか一方の排出口の排出口を開閉することによって、この排出口側からの排出と、反対側の排出口からの排出とに簡単に切替えて刈草排出を行わせるものである。
【背景技術】
【０００２】
乗用車体の腹部に装着のモーアデッキで刈取られる草は、ブレードの回転方向側の側部から後輪側へ向けて排出する形態が一般的である。（例えば、特許文献１参照）。そして、モーアデッキの左・右いずれかの側からでも排出できるように切替えたり、中央後側部から後方へ排出可能に切替える技術も知られている。
【特許文献１】特開２００２−２７８１５号公報（第１項、図４）
【発明の開示】
【発明が解決しようとする課題】
【０００３】
前記の如きモーアデッキの刈取草を排出する排出口を左・右に切替える形態では、排出口ではシャッターを開くと共に、反対側の非排出口ではシャッターを閉鎖するように切替えるため、構成、及び操作が煩雑である。特に、モーアデッキのブレードは回転方向が一定の方向であり、後輪との構成制限も受け易く、左・右の排出口、及びシャッター等全てを左右対称の構成とすることが困難なことが多い。
【課題を解決するための手段】
【０００４】
請求項１に記載の発明は、上下方向のブレード軸１の周りに回転するブレード２を有したモーアデッキ３の左右両側部に、このブレード２で刈取られた草を排出する左・右排出口４，５を配置し、この一側の右排出口５に開閉するシャッター６を設けて、このシャッター６を閉鎖することによってリヤカバー７を介して左排出口４へ案内して左側排出させることを特徴とする草刈機の構成とする。モーアデッキ３のブレード２を右回りに回転させて刈取作業する形態では、この右側の排出口５にシャッター６を設けて、左側の排出口４は常時開いた形態にある。そして、ブレード２の回転によって刈取られた草は、モーアデッキ３内を右回りに旋回されながら、このシャッター６の位置する排出口５側へ案内される。ここで、この右排出口５側から排出させる場合は、このシャッター６が開かれているため、この右排出口５から後方へ排出される。又、左排出口４から排出させるときは、該シャッター６を切替えて、右排出口５を閉鎖する。これによってブレード２の回転によって刈取られた草は、モーアデッキ３内を右回りに旋回案内されると共に、この右排出口５を閉鎖状態とするシャッター６から、更にリヤカバー７等に案内されて、左排出口４から排出される。
請求項２に記載の発明は、前記モーアデッキ３の左・右排出口４，５間の後側を覆うリヤカバー７の下端縁に沿って、前側のブレード２側へ向けて突出の折返し縁８を形成したことを特徴とするものである。前記のようにシャッター６の設けられる右排出口５を閉鎖して、常時開かれている左排出口４から刈取草を輩出するときは、モーアデッキ３内の草は、このシャッター６及びリヤカバー７の内側面で案内されて左排出口４側へ旋回される。このときこのリヤカバー７の下端縁に沿う折返し縁８に案内されて、案内途中の草の落下を阻止して左排出口４まで案内させることができ、このリヤカバー７の下側から直接後側へ排出させるのを少なくする。
【発明の効果】
【０００５】
請求項１に記載の発明は、モーアデッキ３内で刈取られた草を右排出口５から排出させたり、左排出口４から排出させるための切替えは、この右排出口５のシャッター６のみの構成、及び切替操作によって行われるため、この構成及び操作を簡単、容易にすることができる。
請求項２に記載の発明は、モーアデッキ３内で刈取られた草を左排出口４から排出させるときは、このリヤカバー７によって案内される草をこの下端縁部の折返し縁８に案内させて、リヤカバー７の下方へ直接落下排出されるのを防止し、左排出口４側へ的確に送出案内することができる。
【発明を実施するための最良の形態】
【０００６】
図例に基づいて、モーアデッキ３は、前・後輪１１，１２を配置の四輪走行形態の乗用車体１３の腹部に、平行リンク形態の昇降リンク１４を介して装着され、リフトシリンダ１５の伸縮によって昇降される。車体１３の後部にエンジン１６を搭載し、このエンジン１６によって後輪１２を駆動すると共に、ＰＴＯ軸１７からベルト２２を介してモーアデッキ３のブレード軸１を駆動して、走行しながら草刈を行うことができる。車体１３の中央部には運転席１８を搭載し、フロア１９前のフロントカバー２０上にステアリングハンドル２１を配置する。
【０００７】
ここにおいて、前記モーアデッキ３の構成は、上下方向のブレード軸１の周りに回転するブレード２を有したモーアデッキ３の左右両側部に、このブレード２で刈取られた草を排出する左・右排出口４，５を配置し、この一側の右排出口５に開閉するシャッター６を設けて、このシャッター６を閉鎖することによってリヤカバー７を介して左排出口４へ案内して左側排出させることを特徴とする草刈機の構成とする。モーアッデキ３のブレード２を右回りに回転させて刈取作業する形態では、この右側の排出口５にシャッター６を設けて、左側の排出口４は常時開いた形態にある。そして、ブレード２の回転によって刈取られた草は、モーアデッキ３内を右回りに旋回されながら、このシャッター６の位置する排出口５側へ案内される。ここで、この右排出口５側から排出させる場合は、このシャッター６が開かれているため、この右排出口５から後方へ排出される。又、左排出口４から排出させるときは、該シャッター６を切替えて、右排出口５を閉鎖する。これによってブレード２の回転によって刈取られた草は、モーアデッキ３内を右回りに旋回案内されると共に、この右排出口５を閉鎖状態とするシャッター６から、更にリヤカバー７等に案内されて、左排出口４から排出される。
【０００８】
前記モーアデッキ３の左・右排出口４，５間の後側を覆うリヤカバー７の下端縁に沿って、前側のブレード２側へ向けて突出の折返し縁８を形成したことを特徴とするものである。前記のようにシャッター６の設けられる右排出口５を閉鎖して、常時開かれている左排出口４から刈取草を輩出するときは、モーアデッキ３内の草は、このシャッター６及びリヤカバー７の内側面で案内されて左排出口４側へ旋回される。このときこのリヤカバー７の下端縁に沿う折返し縁８に案内されて、案内途中の草の落下を阻止して左排出口４まで案内させることができ、このリヤカバー７の下側から直接後側へ排出させるのを少なくする。
【０００９】
前記モーアデッキ３は、センタカバー２３の左右両側部に開閉可能のサイドカバー２４，２５を設け、後側部にはリヤカバー７を設ける。この右側のサイドカバー２５の後部にシャッター６を開閉可能に設けている。これら各カバー２３，２４，２５，７はブレード２の回転上側面を覆う天板部を形成すると共に、回転外周側面を覆う壁板部２６，２７，２８，２９を形成して、ブレード２の回転によって刈取られた草の旋回案内を行わせるものである。センタカバー２３は壁板部２６が進行方向の前側面部に形成され、サイドカバー２４，２４は外側面部に形成され、リヤカバー７は後側面部に形成される。又、各サイドカバー２４，２５は、センタカバー２３に対して蝶番３０，３１を介して上下に回動自在に設けて、上側へ回動させて開放状態とするように構成している。モーアデッキ３のメンテナンス時や、畦越走行や、トラック等への積降走行時等に、これら各カバー２４，２５が邪魔になるときは、これらのカバー２４，２５を上方へ回動させた形態にすることができる。
【００１０】
これら左・右サイドカバー２４，２５の後端部が後側に開放されて、後輪１２の前側に対向するようにモーアデッキ３が搭載されている。リヤカバー７はこの状態で左右の後輪１２間の間隔部に位置する。ブレード軸１及びブレード２の回転方向を時計針の回転方向と同じ右回りとすると、これら右側のサイドカバー２５の後端部に右排出口５が形成され、左側のサイドカバー２４の後端部に左排出口４が形成される。シャッター６は、この右排出口５を開閉するもので、この右排出口５において後側の後輪１２との間に形成される。このシャッター６は、右サイドカバー２５と略同様に、天板部３３と壁板部３５から形成されるもので、右サイドカバー２５の後端に対してボルト３８によって着脱される構成である。このシャッター６は、壁板部３５を平面視で外側から内側後方に向けて斜め方向に形成させて、右サイドカバー２５から案内されてくる草を後方の後輪１２の内側へ向けて案内させる。又、このシャッター６の壁板部３５は、草のリヤカバー７側への案内を維持させる。尚、このシャッター６を上下に回動させて、右排出口５を開閉する構成とすることも可能であるが、このとき、シャッター６が後輪１２に接触して邪魔になる状態では、シャッター６を右サイドカバー２５に対しボルト３８によって着脱することができる。特に、このシャッター６は後輪１２に接近した位置に構成することが多く、シャッター６の壁板部３６が後輪１２に接触し易い形態となる。
【００１１】
前記リヤカバー７は、後壁板部２９が左右後輪１２間にわたって形成される。このリヤカバー７の右端部の前側に前記シャッター６の後端がのぞまされて、このシャッター６の壁板部３５で案内される草をこのリヤカバー７の後壁板部２９の前側へ引継案内される。このリヤカバー７の後壁板部２９下端部はブレード２の回転位置よりも若干低位に形成されて、この下端部に沿って左右方向に沿う折返し縁８が形成される。この折返し縁８には後壁板部２９の下端縁を前側へ適宜狭幅に略９０度の形態に折曲げた形態にして形成したもので、この後壁板部２９の内面に沿って右から左側へ流動案内される草を落下しないように支持案内するものである。このリヤカバー７の左右両側端面は左右排出口４，５に向けて開放されていて、このリヤカバー７の内側面に沿って案内する草を左排出口４から後方へ排出させる。又、このリヤカバー７の後壁板部２９の右端部４１を、前側へ湾曲させて前記シャッター６からの草の受継案内を円滑に行わせるように形成している。
前記シャッター６の開閉は、運転席１８近くの操作レバー等の操作機構によって遠隔操作可能に構成することもできる。
【００１２】
車体１３走行してブレード２を回転しながら草刈作業するときは、この刈取られる草を右側へ排出させる場合は、この右排出口５のシャッター６を開ける。シャッター６を外し、この状態で右サイドカバー２５の後端の右排出口５が開放される。ブレード２の右回り回転によって刈取られる草はこのモーアデッキ３内を各カバー２４，２３，２５等の壁板部２７，２６，２８の内側面に沿って旋回案内されて、右サイドカバー２５後端の右排出口５から直接後方の後輪１２側へ向けて排出される。又、刈取られた草の排出を左側の左排出口４から行わせるように切替えるときは、ブレード２の回転方向は変えないで、シャッター６を取付けて、右排出口５を閉鎖した状態にする。この右排出口５の閉鎖状態では、これらシャッター６の壁板部３５が、サイドカバー２５の壁板部２８の後端からリヤカバー７の壁板部２９に向けて連続するように傾斜形成されて、前記のように右サイドカバー２５部に旋回案内された草を、このシャッター６によってリヤカバー７へ案内させる。このリヤカバー７部へ案内された草は、後壁板２９下端の折返し縁８上を案内されて左横端の左排出口４から後輪１２前に排出される。この左排出口４はシャッター６による排出方向の切替に拘らず常時開放状態にあるが、右排出口６が開放されると、モーアデッキ３内を旋回される草は殆んどこの右排出口５から排出されて、リヤカバー７部に案内されて左排出口４からは排出されない状態となる。
図例では、ブレード２を右回りに回転して刈取る場合を例示したが、このブレード２を左回りに回転する形態とする場合は、左側のサイドカバー４の左排出口４部にシャッター６を設けて同様に草排出の左右切替えを行うことができる。
【図面の簡単な説明】
【００１３】
【図１】モーアデッキ部の平面図。
【図２】その側面図。
【図３】その一部シャッター部の分解斜視図。
【図４】全体側面図。
【図５】全体平面図。
【符号の説明】
【００１４】
１    ブレード軸
２    ブレード
３    モーアデッキ
４    左排出口
５    右排出口
６    シャッター
７    リヤカバー
８    折返し縁
【図１】
2007129906.tif 000003
【図２】
2007129906.tif 000004
【図３】
2007129906.tif 000005
【図４】
2007129906.tif 000006
【図５】
2007129906.tif 000007